(57)【要約】【課題】操作感触を犠牲にすることなく安定した信号を生成可能な電子ダイヤル装置を提供する。【解決手段】電子ダイヤル装置（１０）は、回転操作部材（２）と、回転操作部材とともに回転する導電部材（６）と、互いに絶縁された複数の導電領域を有し、回転操作部材の回転に応じて導電部材が摺動可能に接触する導電パターン（５）と、回転操作部材の設定位置に応じて複数のモードを設定することが可能なモード設定手段（１５）と、回転操作部材の周囲の一部に設けられた壁部（５０）とを有する。【選択図】図１２
2019105766.tif 000002
【特許請求の範囲】
【請求項１】
回転操作部材と、
前記回転操作部材とともに回転する導電部材と、
互いに絶縁された複数の導電領域を有し、前記回転操作部材の回転に応じて前記導電部材が摺動可能に接触する導電パターンと、
前記回転操作部材の設定位置に応じて複数のモードを設定することが可能なモード設定手段と、
前記回転操作部材の周囲の一部に設けられた壁部と、を有することを特徴とする電子ダイヤル装置。
【請求項２】
前記モード設定手段は、前記導電部材と前記導電パターンとの接触位置に応じた複数の信号レベルの組み合わせに基づいて、前記複数のモードの一つを設定し、
前記複数のモードのうち第１のモードと第２のモードは、前記回転操作部材の隣接しない設定位置に対応するモードであり、
前記モード設定手段は、前記回転操作部材の回転操作により前記第１のモードから直接に前記第２のモードへ切り替わった場合、前記第１のモードから前記第２のモードへの切り替えを行わないように制御することを特徴とする請求項１に記載の電子ダイヤル装置。
【請求項３】
前記回転操作部材の前記設定位置のうち、前記第１のモードに対応する設定位置と、前記第２のモードに対応する設定位置は、前記導電部材の回転中心に対して９０度以上の角度を有するように配置されていることを特徴とする請求項２に記載の電子ダイヤル装置。
【請求項４】
前記壁部は、前記導電部材の前記回転中心に対して所定の角度範囲の幅を有し、
前記所定の角度範囲は、前記導電部材の前記回転中心に対して、前記回転操作部材の互いに隣接する２つの設定位置がなす角度以上であることを特徴とする請求項３に記載の電子ダイヤル装置。
【請求項５】
前記回転操作部材の前記設定位置の数をｎ、１以上の整数をａ、１番目またはｎ番目の設定位置から数えて、誤出力の可能性がある信号レベルの組み合わせに対応する設定位置をＰ（Ｐは偶数）とするとき、
2019105766.tif 000005
を満足し、
前記壁部の幅をＷ（度）とするとき、
2019105766.tif 000006
を満足することを特徴とする請求項２乃至４のいずれか１項に記載の電子ダイヤル装置。
【請求項６】
前記信号レベルは、前記複数の導電領域のそれぞれと前記導電部材との接触状態に応じて出力されるＨレベルまたはＬレベルであることを特徴とする請求項２乃至５のいずれか１項に記載の電子ダイヤル装置。
【請求項７】
前記複数の信号レベルの全ての組み合わせのそれぞれに関して、該複数の信号レベルのうち少なくとも一つの信号レベルはＨレベルであることを特徴とする請求項６に記載の電子ダイヤル装置。
【請求項８】
前記回転操作部材の前記設定位置が第１の設定位置である場合、前記複数の信号レベルの前記組み合わせは第１の組み合わせであり、
前記回転操作部材の前記設定位置が前記第１の設定位置から該第１の設定位置に隣接する第２の設定位置へ変化した場合、前記複数の信号レベルの前記組み合わせは、前記第１の組み合わせに対して一つの信号レベルのみが異なる第２の組み合わせであることを特徴とする請求項６または７に記載の電子ダイヤル装置。
【請求項９】
前記壁部は、ユーザによる前記回転操作部材の所定量以上の連続回転操作を妨げるように設けられていることを特徴とする請求項１乃至８のいずれか１項に記載の電子ダイヤル装置。
【請求項１０】
前記複数のモードの数に対応する前記設定位置の数は奇数であることを特徴とする請求項１乃至９のいずれか１項に記載の電子ダイヤル装置。
【請求項１１】
前記回転操作部材には回転終点がないことを特徴とする請求項１乃至１０のいずれか１項に記載の電子ダイヤル装置。
【請求項１２】
請求項１乃至１１のいずれか１項に記載の電子ダイヤル装置を有することを特徴とする電子機器。
【発明の詳細な説明】
【技術分野】
【０００１】
本発明は、デジタルカメラ等の電子機器に搭載される電子ダイヤル装置に関する。
【背景技術】
【０００２】
従来、デジタルカメラやビデオカメラ、携帯情報端末等の電子機器には、動作モードや各種設定を行うための電子ダイヤル装置が設けられている。電子ダイヤル装置には、機器本体に導電パターンを設けた基板を固定するとともに、ダイヤルの回転に応じて導電パターンに対して摺動する板ばね状の位相接片をダイヤルに固定して構成されている。また、回転方向に並んで配置された複数のクリック溝部と、これらのクリック溝部に係合する球体とを有し、ダイヤルの回転に応じてこの球体と複数のクリック溝部とを係脱させることにより、ダイヤルの回転操作にクリック感を発生させるようにしている。
【０００３】
このようなダイヤル装置は、導電パターンと位相接片との通電状態を検出することにより、ダイヤルの位置（ポジション）を判定する。また、電子ダイヤル装置は、グレイコードを用いることにより、ポジション数に対して電気信号の数を少なくしている場合がある。グレイコードは、隣接ポジションに移る際、誤出力を防ぐため、複数の信号のうち１つの信号レベルのみが「アクティブ」から「非アクティブ」、または、「非アクティブ」から「アクティブ」に切り替わっていくコード配列が前提となる。しかし、ポジション数が奇数の場合、前述の前提が一部のポジション間で成立せず、隣接ポジションに移る際に誤出力する可能性がある。
【０００４】
例えば、特許文献１には、コード出力形式のロータリースイッチにおいて、スイッチの切り替え時にポジション間で誤出力する問題を、確実に解消しうるロータリースイッチが開示されている。確定信号を出力する確定信号端子を備えることにより、誤出力を抑制することができる。
【０００５】
また、ｎ個（奇数個）のうちの１つのポジション間に２つのコード配列を持つ導電パターンを備えることにより、ポジション数をｎ個（奇数個）、コード数をｎ＋１として誤出力を抑える技術も公知である。
【先行技術文献】
【特許文献】
【０００６】
【特許文献１】特開２００６−２５０５６６号公報
【発明の概要】
【発明が解決しようとする課題】
【０００７】
しかしながら、特許文献１に開示されたロータリースイッチでは、確定信号が摺動部に一定以上の間隔を持って配置されるため、摺動摩耗により導電パターンが剥離する可能性がある。導電パターンの剥離を回避するために、導電パターンの端に絶縁シートを配置してもよいが、その場合、絶縁シートの段差によるダイヤル操作感触が低下する可能性がある。また、確定信号と位相接片が触れない位相が生じるため、位相接片は、一時的に、電気的に浮遊した金属となり、信号が安定せず揺れてしまう可能性がある。
【０００８】
一方、前述の公知技術では、１つのポジション間にコードが切り替わる箇所があり、基板上には導電パターンのない箇所、すなわち溝が生じる。クリック荷重の高い２つのポジションの中心ではなく、クリック荷重の低い１ポジション内に溝が生じるため、ユーザは回転操作時に段差を感じやすく、操作感触の低下が懸念される。
【０００９】
そこで本発明は、操作感触を犠牲にすることなく安定した信号を生成可能な電子ダイヤル装置および電子機器を提供することを目的とする。
【課題を解決するための手段】
【００１０】
本発明の一側面としての電子ダイヤル装置は、回転操作部材と、前記回転操作部材とともに回転する導電部材と、互いに絶縁された複数の導電領域を有し、前記回転操作部材の回転に応じて前記導電部材が摺動可能に接触する導電パターンと、前記回転操作部材の設定位置に応じて複数のモードを設定することが可能なモード設定手段と、前記回転操作部材の周囲の一部に設けられた壁部とを有する。
【００１１】
本発明の他の側面としての電子機器は、前記電子ダイヤル装置を有する。
【００１２】
本発明の他の目的及び特徴は、以下の実施形態において説明される。
【発明の効果】
【００１３】
本発明によれば、操作感触を犠牲にすることなく安定した信号を生成可能な電子ダイヤル装置および電子機器を提供することができる。
【図面の簡単な説明】
【００１４】
【図１】本実施形態における撮像装置の斜視図である。
【図２】本実施形態における電子ダイヤル装置の分解斜視図である。
【図３】本実施形態における電子ダイヤル装置の上面図である。
【図４】本実施形態における位相接片の上面図である。
【図５】本実施形態における導電パターンを有するフレキシブル基板の上面図である。
【図６】本実施形態におけるコード配列表である。
【図７】本実施形態における導電パターンを有するフレキシブル基板の上面図である。
【図８】図６に示されるコード配列において、ポジションＰ９からポジションＰ１へモードダイヤル２を操作した場合の信号変化の順序を示す図である。
【図９】比較例としての導電パターンを有するフレキシブル基板の上面図である。
【図１０】比較例としてのコード配列表である。
【図１１】図１０に示されるコード配列において、ポジションＰ９からポジションＰ１へモードダイヤルを操作した場合の信号変化の順序を示す図である。
【図１２】本実施形態における電子ダイヤル装置の上面図である。
【発明を実施するための形態】
【００１５】
以下、本発明の実施形態について、図面を参照しながら詳細に説明する。
【００１６】
まず、図１を参照して、本実施形態における撮像装置の概略について説明する。図１は、撮像装置（デジタル一眼レフカメラ）１の斜視図である。撮像装置１の上面には、撮影における種々の撮影条件を設定するモードダイヤル（回転操作部材）２が配置されている。モードダイヤル２は、ユーザの回転操作に応じて時計回りまたは反時計回りに回転することにより、シャッター速度優先モード（Ｔｖモード）や絞り値優先モード（Ａｖモード）などの撮影条件を設定する撮影モード（モード）を選択（設定）することができる。３は、撮像装置１の上面側に設けられた外装カバーである。なお本実施形態において、撮像装置１には、不図示の交換レンズ（撮像光学系）を着脱可能に取り付けることができる。ただし本実施形態は、これに限定されるものではなく、撮像光学系と撮像装置本体とが一体的に構成された撮像装置にも適用可能である。
【００１７】
次に、図２を参照して、モードダイヤル２を含む電子ダイヤル装置の構成について説明する。図２は、電子ダイヤル装置１００の分解斜視図である。図２において、４はフレキシブル基板（ＦＰＣ、基板）、５はフレキシブル基板４に設けられた導電パターンである。６はモードダイヤル２とともに回転する位相接片（導電部材）、７はクリック板である。位相接片６は、クリック板７に熱かしめにて一体化されている。クリック板７には、モードダイヤル２の回転位相と同数の谷部があり、この谷部にクリックボール８が係合することにより、モードダイヤル２の回転操作の際にクリック感を発生させる。コイルばね９は、クリックボール８をクリック板７に付勢させる役割を有する。
【００１８】
モードダイヤルキャップ１０は、モードダイヤル２に接着固定されており、モードダイヤル２の回転位相（状態数）と同数の絵柄が印刷されている。モードダイヤルキャップ１０の絵柄と外装カバー３の指標１１とを合わせることにより、ユーザにどの撮影モードが選択（設定）されているかを明示する。電源レバー１２は、撮像装置１の電源をＯＮ／ＯＦＦ操作するための部材である。電源レバー１２には、ユーザが指で摘み電源のＯＮ／ＯＦＦ操作を行うための操作部１４が設けられている。板ばね１３は、電源レバー１２の内壁面の谷部に係合し、電源ＯＮ／ＯＦＦ操作の際にクリック感を発生させる。記憶手段（メモリ）１６は、後述の図６に示されるコード配列表（コードテーブル）を記憶している。モード設定手段（制御部）１５は、記憶手段１６に記憶されたコードテーブルに基づいて、モードダイヤル２の設定位置（図６に示されるポジションＰ１〜Ｐ９）に応じて複数のモード（図６に示されるモードＡ〜Ｉ）を選択的に設定することが可能である。
【００１９】
次に、図３を参照して、電子ダイヤル装置１００の回転位置とモード（撮影モード）との関係について説明する。図３は、電子ダイヤル装置１００の上面図である。図３に示されるように、本実施形態において、モードダイヤルキャップ１０には、モード「Ａ」「Ｂ」「Ｃ」「Ｄ」「Ｅ」「Ｆ」「Ｇ」「Ｈ」「Ｉ」の合計９種類のモードが、モードダイヤル２のポジション（設定位置）Ｐ１〜Ｐ９にそれぞれ対応して示されている。本実施形態において、モードＡ〜Ｉまでの撮影モードに対応し、回転角度４０ｄｅｇの間隔で配置されているポジションをそれぞれＰ１〜Ｐ９とする。
【００２０】
ユーザは、モードダイヤル２を回転させることにより、９種類の撮影モードを自由に切り替えることができる。また本実施形態において、モードダイヤル２は、時計回りまたは反時計回りの操作の際に操作不可となる回転終点を設けていない。このためユーザは、時計回りおよび反時計回りのいずれの回転方向においても、モードダイヤル２を回転させ続けることが可能である。
【００２１】
次に、図４を参照して、本実施形態における位相接片（導電部材）６の構成について説明する。図４は、位相接片６の上面図である。図４に示されるように、位相接片６は、弾性形状を有する導電性材料から構成されており、位相接片６の先端には、導電パターン５との接点６ａ、６ｂ、６ｃ、６ｄが設けられている。モードダイヤル２の回転中心から接点６ａ、６ｂ、６ｃ、６ｄまでのそれぞれの距離は全て互いに異なっており、四つの接点６ａ〜６ｄの回転軌跡は互いに重ならない配置となっている。接点６ａ〜６ｄは、所定の荷重でフレキシブル基板４の導電パターン５に押し付けられることにより、電気的に安定してフレキシブル基板４と接続される。また、全ての接点６ａ〜６ｄはそれぞれ、二つの分割接点を有する。これは、いずれか一方の分割接点がゴミなどの異物により導電パターン５と導通できない場合でも、他方の分割接点で導通状態を保持するためである。接点６ａと接点６ｃとを結ぶ直線Ｌ１、および、接点６ｂと接点６ｄとを結ぶ直線Ｌ２は、位相切片６の回転中心３１を通る直線上に設定される。また、直線Ｌ１および直線Ｌ２はそれぞれ、位相切片６の回転中心３１に関して、互いに反対の位置に設定される。これは、位相切片６の回転中心３１に対してできるだけ接圧荷重を釣り合わせることにより、位相接片６の傾きを抑制するとともに、ユーザがモードダイヤル２を回転操作したときの感触不良を抑えるためである。
【００２２】
次に、図５を参照して、導電パターン５を備えたフレキシブル基板４について説明する。図５は、導電パターン５を備えたフレキシブル基板４の上面図である。導電パターン５は、互いに絶縁された５つの信号エリア（複数の導電領域）を有し、モードダイヤル２の回転に応じて位相接片６が摺動可能に接触する。５つの信号エリアのうち、１つは基準電位信号（ＧＮＤ信号）のエリアである。ＧＮＤ信号は、位相接片６を介して、残りの４つの信号エリア（導電領域）と電気的に接続することが可能である。本実施形態では、位相接片６のポジション（位置）に応じたモードダイヤル２の回転位相（回転位置）に従って、４つの信号電位（複数の信号レベル）のそれぞれをアクティブまたは非アクティブに切り替えることができる。ここで、アクティブとは信号レベルがＨＩＧＨレベル（Ｈレベル）すなわち「１」を示す状態（第１の状態）であり、非アクティブとは信号レベルがＬＯＷレベル（Ｌレベル）すなわち「０」を示す状態（第２の状態）である。４つの信号電位のそれぞれがＨレベルまたはＬレベルのいずれであるかは、不図示の検出部により検出される。そしてモード設定手段１５は、ユーザにより選択されたモードへの切り替えを指示する。
【００２３】
モード数がｎ個のモードダイヤル２の場合、ｎ種類の信号レベルの組み合わせを有する導電パターン５（複数の導電領域）を配置することが考えられる。しかし、この場合、モード数ｎに応じて信号数が増加し、モードダイヤル２だけでなく、撮像装置１などの製品全体が大きくなってしまう。このため、モード数ｎを信号レベル「０」（ＬＯＷ）と「１」（ＨＩＧＨ）との組合せ、いわゆる二進数に変換することにより、信号数を削減することが可能なグレイコードが用いられる。二進数における１は前述の信号電位ＨＩＧＨに、０は前述の信号電位ＬＯＷに置き換えられる。またグレイコードは、隣接したコードに移行する際に、複数の信号のうち必ず１つの信号レベルのみが変化するという規則を有する。以降、コード（信号レベル）の説明の際には、信号の電位がＨＩＧＨであれば「Ｈ」（Ｈレベル）、信号の電位がＬＯＷであれば「Ｌ」（Ｌレベル）という。またコード配列（複数の信号レベルの組み合わせ）は「信号１、信号２、信号３、信号４」の順で記載する。
【００２４】
図９（ａ）、図９（ｂ）、図９（ｃ）は、比較例として、グレイコードの規則に則っていない導電パターンを有するフレキシブル基板の平面図である。接点６ｄがＧＮＤ信号の導電領域（信号ＧＮＤを出力する導電領域）に接続されているため、残る接点６ａ、接点６ｂ、接点６ｃと接触している導電領域に関する信号のレベルはＬである。図９（ａ）は、「ＨＬＬＬ」というコード（複数の信号レベルの組み合わせ）から、位相接片６が回転中心３１を軸として反時計回りの回転方向２０に回転し、コード「ＨＬＨＨ」の導電領域に移行しようとしている図である。詳細には、接点６ａと接触している導電領域（第３の導電領域）がＬからＨに、接点６ｂと接触している導電領域（第４の導電領域）と接触している信号４がＬからＨに、２つの信号が同時に変化しようとしている。
【００２５】
図９（ｂ）は、導電パターン５と位相接片６のそれぞれの形状が設計値と一致し、導電パターン５の中心３０と位相接片６の回転中心３１が互いに一致した場合に、位相接片６が回転方向２０に回転し、コード「ＨＬＨＨ」の導電領域に移行した瞬間の図である。前述の条件を満たせば、「信号３」「信号４」の２つの信号を厳密な意味で同時に変化させることが可能である。しかし、部品の形状や組み立てのばらつきを考慮すると、前述の条件を満たす可能性は低く、ほとんどの場合、信号は１つずつ順序を持って変化してしまう。変化の仕方は、次の二通りである。
【００２６】
「ＨＬＬＬ」→「ＨＬＬＨ」→「ＨＬＨＨ」  ・・・  順序（１）
「ＨＬＬＬ」→「ＨＬＨＬ」→「ＨＬＨＨ」  ・・・  順序（２）
図９（ｃ）は、導電パターン５の中心３０と位相接片６の回転中心と３１が互いにずれてしまい、「ＨＬＬＬ」から「ＨＬＨＨ」へ移行するまでの間に、順序（２）の「ＨＬＨＬ」を経由している瞬間の図である。順序（１）の「ＨＬＬＨ」および順序（２）の「ＨＬＨＬ」はいずれも、モード設定の際に意図していない不要なコードである。
【００２７】
グレイコードは、前述のように隣接したコードに移行する際に必ず１つの信号しか変化しないという規則を守らなければならない。しかしながら、本実施形態にて説明するダイヤルのように、ポジション数ｎ（モードの数）が奇数かつ回転終点のないダイヤルでは、グレイコードの規則を守ることができない箇所が必ず生じる。
【００２８】
回転終点のないダイヤルでは、ポジションＰ１からポジションＰ２などの互いに隣接する位置間の移動に加えて、ポジションＰ１とポジションＰ９との間の移動が加わる。このため、ポジションＰ１とポジションＰ９に配置されたコードも、互いに隣接したコードに該当する。回転終点のないダイヤルにて、例えば隣接する信号への移動の際に１つの信号をＨからＬに変化させた場合、同一回転方向に回し続け、再度同ポジションに変更されるまでに、必ず同信号をＬからＨに変化させなければならない。すなわち、少なくとも「ＨからＬ」「ＬからＨ」の２回の変化が必要であり、それが全ての信号に適用されることから、コードの変化回数は必ず偶数にならなければならない。モード数に対応するポジション数ｎ（モードダイヤル２の設定位置の数）が偶数の場合、ポジションＰ１からポジションＰｎまで回転した場合にコードが変化する回数は（ｎ−１）回である。モードダイヤル２に回転終点がない場合、ポジションＰ１とポジションＰｎとの間でも１回コードが変化する。すなわち、コードが変化する回数は合計ｎ回となる。すなわち、必ず偶数回のコード変化を有することとなり、グレイコードの規則を守ったコード配列を設定することができる。
【００２９】
一方、モード数に対応するポジション数ｎ（設定位置の数）が奇数の場合、ポジションＰ１からポジションＰｎまでにコードが変化する回数は（ｎ−１）回（偶数回）である。また、モードダイヤル２に回転終点がない場合、ポジションＰ１とポジションＰｎとの間のコード変化回数１回が加わり、コード変化回数は合計ｎ回（奇数回）となる。すなわち、必ず奇数回のコード変化を有することとなり、グレイコードの規則を守ることができない箇所が必ず一箇所生じる。
【００３０】
図１０は、ポジション数が９の場合の比較例としてのグレイコード配列表である。前述のように、ポジション数（モード数）が奇数であるため、グレイコードの規則が守られていない。ユーザがモードダイヤルを回転させ、モードＩが設定されているポジションＰ９からモードＡが設定されているポジションＰ１に変更を行うとする。その際、二つの信号が同時に切り替わることはほとんどないため、信号は一つずつ順序を有して変化してしまう。その順序は二通りある。
【００３１】
図１１は、図１０に示されるコード配列において、ポジションＰ９からポジションＰ１へモードダイヤル２を操作した場合の信号変化の順序を示す図である。図１１に示されるように、ポジションＰ４に割り当てられているモードＤを経由する順序（３）、または、ポジションＰ８に割り当てられているモードＨを経由する順序（４）が生じる。すなわち、ユーザがモードダイヤル２を回転させ、モードＡからモードＩ、または、モードＩからモードＡにモードを変更する場合、ユーザは１つのポジションだけ回転させたのにも関わらず、操作途中でモードＤまたはモードＨへモードが変更される可能性がある。特にユーザが回転動作をゆっくり行う場合や回転途中で停止させた場合、ユーザが意図しないモードへの変化を認識しやすい。このため、回転途中にユーザの意図しないモードに切り替わってしまう箇所があることは、好ましくない。
【００３２】
次に、奇数のポジション数を有するモードダイヤル特有の問題点を解決するための本実施形態の構成について説明する。図６を参照して、本実施形態におけるコード配列表を説明する。図６は、本実施形態におけるコード配列表であり、コード配列のポジション（位置）、モード（撮影モード）、および、コードの関係を示している。図６に示されるように、ポジション数が９かつモード数が９のモードダイヤル２に割り当てるコードとして、モード数に１を加えた１０通りのコードを用意する。このとき、１０通りのコードは互いに異なる配列（互いに異なる複数の信号レベルの組み合わせ）である。また、コードＣ１〜Ｃ１０間において隣接するコードへ移動する際に必ず変化する信号は１種類のみである（４つの信号エリア（信号１〜４）のうちいずれか一つの信号レベルのみが変化する）というコード配列とする。加えて、コードＣ１０からコードＣ１へのコードの移動の際にも、変化する信号は１種類のみというコード配列とする。
【００３３】
ここで、導体パターンを作成するのは、コードＣ１からコードＣ９までであり、コードＣ１０に関する導体パターンについては作成しない。そして、従来と同様に、コードＣ１〜Ｃ９にはモードＡ〜Ｉをそれぞれ割り当てる。本実施形態では、それに加えて、コードＣ１０には、コードＣ１またはコードＣ９に割り当てられたモードと同じモード、すなわちモードＡまたはモードＩを割り当てる。なお図６において、コードＣ１０には、コードＣ９と同じモードＩが割り当てられている。
【００３４】
次に、図７を参照して、本実施形態における導電パターン５を有するフレキシブル基板４について説明する。図７は、本実施形態における導電パターンを有するフレキシブル基板４の上面図である。図７（ａ）は位相接片６がポジションＰ９に配置された図、図７（ｂ）は位相接片６がポジションＰ１に配置された図をそれぞれ示している。ユーザが回転方向２０へモードダイヤル２を回転させてポジションＰ９からポジションＰ１へ変更する操作は、二つの信号レベル（本実施形態では信号３、４）を変化させる操作となり、グレイコードの規則には則っていない。
【００３５】
図８は、図６に示されるコード配列において、ポジションＰ９からポジションＰ１へモードダイヤル２を操作した場合の信号変化の順序を示す図である。図８に示されるように、コードＣ１０の信号レベルの組み合わせ「ＨＨＬＨ」を経由する順序（５）、コードＣ６の信号レベルの組み合わせ「ＨＨＨＬ」を経由する順序（６）が生じる。しかし、コードＣ１０の信号レベルの組み合わせ「ＨＨＬＨ」は、コードＣ１〜Ｃ９のいずれとも異なる配列（組み合わせ）である。このため、モードダイヤル２の操作中に、コードＣ１〜Ｃ９に割り当てられたいずれかのモードに切り替わってしまうことはない。また、コードＣ１０の信号レベルの組み合わせ「ＨＨＬＨ」には、隣接するコードＣ９と同じモード、すなわちモードＩが割り当てられている。このため、順序（５）で信号レベルが変化しても、モードは「Ｉ」→「Ｉ」→「Ａ」の順で変化する。「Ｉ」→「Ｉ」の変化は、撮像装置１の撮影モードが変更されていないことに等しい。従って、ユーザは、コードＣ１０を経由したことに気が付くことなく、モードの変更を行うことができる。
【００３６】
一方、順序（６）の場合、コードＣ６の信号レベルの組み合わせ「ＨＨＨＬ」は、コードＣ６の配列（組み合わせ）を経由するため、モードは「Ｉ」→「Ｆ」→「Ａ」の順で変化する。従って、ユーザはモードダイヤル２をポジションＰ９からポジションＰ１へ、特にゆっくりと操作した場合、モードＦへの切り替わりに気がつく可能性がある。このようにモードが「Ｉ」→「Ｆ」または「Ａ」→「Ｆ」へ切り替わる信号が検出された場合、モードを「Ｆ」に切り替えることを指示しないようにモード設定手段１５が制御を行う必要がある。しかし、その場合、実際にユーザがモードを「Ｉ」→「Ｆ」または「Ａ」→「Ｆ」へ切り替える操作を、他のいずれのモードを経由することなく素早く連続的に行った場合、モードが「Ｆ」に切り替わらない可能性がある。
【００３７】
そこで本実施形態では、図１２に示されるように、モードダイヤル２の周囲の一部に、ユーザによるモードダイヤル２の連続回転操作を防止する壁（壁部、凸部、突起部）５０を設ける。図１２は、本実施形態における電子ダイヤル装置１００の上面図である。
【００３８】
図１２に示されるように、モードダイヤル２を２本の指４０、４１で挟み込み回転させることがユーザにとって一般的な回転操作方法である。しかし、モードダイヤル２の近傍に壁５０を設けることにより、指４０と指４１のいずれかが壁５０に当たり、ユーザはモードダイヤル２の回転操作を連続して行うことが難くなる。
【００３９】
壁５０は、２ポジション分ほどの幅を有するため、ユーザが連続回転操作で切り替えを難なく行うことができるポジション数は２となる。撮像装置１のモード設定手段１５が切り替えを指示しない「Ｉ」→「Ｆ」の切り替えには、連続した３ポジションの回転が必要である。このため、ユーザは「Ｉ」→「Ｆ」の切り替えのためのダイヤル操作を行うことが実質的にできない。このため本実施形態によれば、ユーザは、いずれの場合にも意図しないコードを経由したことに気が付くことなく、モード変更を行うことができる。
【００４０】
導電パターン５に配置される意図しないコードの位置が、グレイコードの規則に則っていないコード変化の位置から離れているほど、連続回転操作を防止する壁５０の必要な幅は小さくなる。また、ポジション数が多くなるほど、導電パターン５に配置される意図しないコードの位置と、グレイコードの規則に則っていないコード変化の位置との距離を離すことができる。
【００４１】
次に、壁５０の幅とポジション数と意図しないコード変化の位置との関係を説明する。本実施形態において、壁５０は、位相切片６の回転中心３１に対して所定の角度範囲の幅Ｗを有する。好ましくは、所定の角度範囲は、位相切片６の回転中心３１に対して、モードダイヤル２における互いに隣接する２つの設定位置がなす角度以上である。ここで、モードダイヤル２のポジション数（設定位置の数）をｎ（ｎは奇数）、１以上の整数をａとする。また、１番目またはｎ番目の設定位置から数えて、誤出力の可能性があるコード（信号レベルの組み合わせ）に対応する設定位置（ポジション）、すなわち、意図しない２つのコードのうち２番目からｎ−１番目のいずれかの設定位置をＰ（Ｐは偶数）とする。このとき、好ましくは以下の式（１）を満足する。
【００４２】
【数１】
2019105766.tif 000003
【００４３】
また好ましくは、このとき必要な壁５０の幅Ｗ［°］は、以下の条件式（２）を満足する。
【００４４】
【数２】
2019105766.tif 000004
【００４５】
ポジション数を多く設定した場合、壁５０の幅Ｗを狭くすることができる。例えば、操作部１４を壁５０として使用することも可能である。
【００４６】
このように本実施形態において、電子ダイヤル装置１００（撮像装置１）は、モードダイヤル２の周囲の一部に設けられた壁５０を有する。壁５０は、ユーザによるモードダイヤル２の所定量以上（所定の角度以上）の連続回転操作を妨げるように設けられている。好ましくは、モード設定手段１５は、位相切片６と導電パターン５との接触位置に応じた複数の信号レベルの組み合わせに基づいて、複数のモードの一つを設定する。複数のモードのうち第１のモード（モードＩ、Ａ）と第２のモード（モードＦ）は、モードダイヤル２の隣接しない設定位置に対応するモードである。モード設定手段１５は、モードダイヤル２の回転操作により第１のモードから直接に第２のモードへ切り替わった場合、第１のモードから第２のモードへの切り替えを行わないように制御する。また好ましくは、モードダイヤル２の設定位置のうち、第１のモードに対応する設定位置（ポジションＰ１、Ｐ９）と、第２のモードに対応する設定位置（ポジションＰ６）は、位相切片６の回転中心３１に対して所定の角度以上(例えば９０度以上)の角度を有する。
【００４７】
好ましくは、信号レベルは、導電パターン５（複数の導電領域）のそれぞれと位相切片６との接触状態に応じて出力されるＨレベルまたはＬレベルである。また好ましくは、モードダイヤル２の設定位置が第１の設定位置（Ｐ１）である場合、複数の信号レベルの組み合わせは第１の組み合わせ（Ｃ１：ＨＨＨＨ）である。設定位置が第１の設定位置から第１の設定位置に隣接する第２の設定位置（Ｐ２）へ変化した場合、複数の信号レベルの前記組み合わせは、第１の組み合わせに対して一つの信号レベルのみが異なる第２の組み合わせ（Ｃ２：ＬＨＨＨ）である。
【００４８】
本実施形態において、全ての信号レベルがＬＯＷとなるコード、すなわち信号レベルの組み合わせ「ＬＬＬＬ」を使用しないコード配列とすることが好ましい。すなわち、複数の信号レベルの全ての組み合わせのそれぞれに関して、複数の信号レベルのうち少なくとも一つの信号レベルはＨレベルである。本実施形態は、四つの信号にＧＮＤ信号を加えた五つの信号が四周の導電パターンに配置された基板と、四つの接点を有する位相接片との組み合わせで構成されている。そのうち一つの接点は、いずれの位相（ポジション）においても必ずＧＮＤ信号の導電領域と接している。従って、全ての信号がＬＯＷとなるコード配列を適用させるには、接点を更に一箇所、導電パターンの周を更に一周増やす必要がある。その場合、同じポジション数であってもモードダイヤルの径が大型化してしまう。このため本実施形態では、ポジション数に加えて一つのコード配列が必要となるが、全ての信号がＬＯＷとなるコードを使用しないコード配列とすることが好ましい。
【００４９】
このように本実施形態によれば、操作感触を犠牲にすることなく安定した信号を生成可能な電子ダイヤル装置を提供することができる。
【００５０】
以上、本発明の好ましい実施形態について説明したが、本発明はこれらの実施形態に限定されず、その要旨の範囲内で種々の変形及び変更が可能である。
【００５１】
本実施形態において、電子ダイヤル装置を備えた電子機器として撮像装置を説明したが、これに限定されるものではなく、電子ダイヤル装置は撮像装置以外の電子機器にも適用可能である。
【符号の説明】
【００５２】
２  モードダイヤル（回転操作部材）
５  導電パターン
６  位相接片（導電部材）
１５  モード設定手段
５０  壁部
１００  電子ダイヤル装置
【図１】
2019105766.tif 000007
【図２】
2019105766.tif 000008
【図３】
2019105766.tif 000009
【図４】
2019105766.tif 000010
【図５】
2019105766.tif 000011
【図６】
2019105766.tif 000012
【図７】
2019105766.tif 000013
【図８】
2019105766.tif 000014
【図９】
2019105766.tif 000015
【図１０】
2019105766.tif 000016
【図１１】
2019105766.tif 000017
【図１２】
2019105766.tif 000018